(57)【要約】【課題】  各加熱ユニットを構成する白熱ランプの管長を短くすることを可能にし、また被加熱物に対して最適な温度分布で加熱することを可能にした加熱装置および管型発光管の曲部における構造を改良した白熱ランプを提供すること。【解決手段】  加熱装置として、管型発光管の内部にフィラメントが配置され、発光部を形成する前記管型発光管の水平部と該水平部の両端から曲部を介して伸びる前記管型発光管の垂直部とからなる略コ字状に形成された白熱ランプ１を、前記水平部が平行となるように複数本配列して加熱ユニットＡ１，Ｂ１，Ａ２を構成し、該加熱ユニットを、各加熱ユニットの白熱ランプの水平部が伸びる方向に、少なくとも３つ以上並べて配置すると共に、前記各加熱ユニットＡ１，Ｂ１，Ａ２は、白熱ランプ１の水平部と直交する方向に、それぞれが独立して点灯制御可能な領域Ｅ〜Ｍに分割されていることを特徴とする。【選択図】  図１
2005063907.tif 000002
【特許請求の範囲】
【請求項１】
管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して加熱ユニットを構成し、
前記加熱ユニットを、各加熱ユニットの白熱ランプの水平部が伸びる方向に、少なくとも３つ以上並べて配置すると共に、前記各加熱ユニットは、白熱ランプの水平部と直交する方向に、それぞれが独立して点灯制御可能な領域に分割されていることを特徴とする加熱装置。  
【請求項２】
管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して加熱ユニットを構成し、
前記加熱ユニットの白熱ランプの水平部が伸びる方向に、少なくとも３つ以上並べて配置された加熱ユニット群を、さらに各加熱ユニットの白熱ランプの水平部と直交する方向に、少なくとも３群以上並べて配置すると共に、前記各加熱ユニットをそれぞれ独立して点灯制御可能に構成したことを特徴とする加熱装置。
【請求項３】
前記管型発光管の垂直部内に、発光部を形成してなることを特徴とする請求項１または請求項２に記載の加熱装置。
【請求項４】
全ての加熱ユニットによって形成される加熱領域が矩形状に形成されていることを特徴とする請求項１乃至請求項３のいずれか１つの請求項に記載の加熱装置。
【請求項５】
隣接する加熱ユニットの白熱ランプの垂直部間近傍に、白熱ランプの封止部に光が照射されないように遮光板を設けたことを特徴とする請求項１乃至請求項４のいずれか１つの請求項に記載の加熱装置。  
【請求項６】
管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、
前記曲部内において、前記フィラメントを支持するサポータリングが、該曲部の曲部形成中心内壁に接触し、該曲部の曲部形成反中心側内壁と離間するように配置されていることを特徴とする白熱ランプ。
【請求項７】
管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、
前記曲部の曲率半径をＲ１、前記曲部内に設けられた前記フィラメントを支持するサポータリングの間隔をＳ１とするとき、Ｒ１とＳ１との関係が、Ｓ１／Ｒ１≦０．８であることを特徴とする白熱ランプ。        
【発明の詳細な説明】
【技術分野】
【０００１】
本発明は、液晶基板やプラズマディスプレイ等のガラス基板等を加熱する白熱ランプおよび白熱ランプを用いた加熱装置に関する。
【背景技術】
【０００２】
従来から、液晶基板やプラズマディスプレイ等のガラス基板等を加熱するために白熱ランプが利用されている。  
特開２００１−２１０６０４号公報には、直管型の白熱ランプを複数本配列してガラス基板を加熱する加熱装置が記載されている。
【特許文献１】特開２００１−２１０６０４号公報
【発明の開示】
【発明が解決しようとする課題】
【０００３】
ところで、近年においては、被加熱物であるガラス基板が大型化してきており、それに伴って加熱装置を構成する直管型の白熱ランプの管長も長くなっている。例えば、白熱ランプの管長は２ｍにも達する。しかし、このように白熱ランプの管長が長くなると、ランプ中央部でランプが撓み、ランプ中央部が被加熱物に近づくために、被加熱物の温度分布が崩れ、設計通りに被加熱物を加熱することができないという問題を生じる。また、管長が長くなると白熱ランプのメィンテナンスや運搬等に支障をきたし、さらには管長が長くなるとフィラメントを設計・製作する上で白熱ランプに印加する電圧を高くする必要が生じ、この場合、特に真空中での使用においてアーキング等絶縁上の困難な問題も生じる。
【０００４】
また、図１２に示すような従来の加熱装置においては、被加熱物の両端付近の温度は熱が逃げることによって下がるため、それを補償するために、白熱ランプＸのフィラメントは両端部の発光部２０１が中央部の発光部２０２に比べて、発熱量が大きくなるように設計されている。また、被加熱物の中央部に位置する白熱ランプＹは、周辺部に位置する白熱ランプＸと比べ、被加熱物の熱が逃げない被加熱物の中央部を加熱するために、予め発熱量が小さくなるように設計されている。
【０００５】
つまり、このような加熱装置においては、各白熱ランプのフィラメント構造や白熱ランプの出力が予め決められている。そのため、ある一定の形状を有する被加熱物に対して最適な温度分布、具体的には均一な温度分布となるように加熱することはできるが、被加熱物の形状が変わった場合には対応することができないという問題がある。さらには、同じ被加熱物でも、違った温度分布で加熱しようとした場合も、その制御が困難である。
【０００６】
本発明の目的は、上記の種々の問題点に鑑み、加熱装置を複数の加熱ユニットで構成することにより、各加熱ユニットを構成する白熱ランプの管長を短くすることを可能にし、また各加熱ユニット毎に独立して点灯制御できるようにすることにより、または各加熱ユニット内を複数の独立した点灯制御可能領域に分割することにより、被加熱物に対して最適な温度分布で加熱することを可能にした加熱装置を提供することにある。
本発明の他の目的は、加熱装置に用いられる、管型発光管の水平部の両端から屈曲して伸びる管型発光管の曲部における内部構造を改良した白熱ランプを提供することにある。
【課題を解決するための手段】
【０００７】
本発明は、上記の課題を解決するために、次のような手段を採用した。
第１の手段は、加熱装置として、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して構成した加熱ユニットを有し、前記加熱ユニットを、各加熱ユニットの白熱ランプの水平部が伸びる方向に、少なくとも３つ以上並べて配置すると共に、前記各加熱ユニットは、白熱ランプの水平部と直交する方向に、それぞれが独立して点灯制御可能な領域に分割されていることを特徴とする。  
【０００８】
第２の手段は、加熱装置として、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して構成した加熱ユニットを有し、前記加熱ユニットの白熱ランプの水平部が伸びる方向に、少なくとも３つ以上並べて配置された加熱ユニット群を、さらに各加熱ユニットの白熱ランプの水平部と直交する方向に、少なくとも３群以上並べて配置すると共に、前記各加熱ユニットをそれぞれ独立して点灯制御可能に構成したことを特徴とする。
【０００９】
第３の手段は、第１の手段または第２の手段において、前記管型発光管の垂直部内に、発光部を形成してなることを特徴とする。
【００１０】
第４の手段は、第１の手段乃至第３の手段のいずれか１つの手段において、全ての加熱ユニットによって形成される加熱領域が矩形状に形成されていることを特徴とする。
【００１１】
第５の手段は、第１の手段乃至第４の手段のいずれか１つの手段において、隣接する加熱ユニットの白熱ランプの垂直部間近傍に、白熱ランプの封止部に光が照射されないように遮光板を設けたことを特徴とする。
【００１２】
第６の手段は、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、前記曲部内において、前記フィラメントを支持するサポータリングが、該曲部の曲部形成中心内壁に接触し、該曲部の曲部形成反中心側内壁と離間するように配置されていることを特徴とする。
【００１３】
第７の手段は、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、前記曲部の曲率半径Ｒ１、前記曲部内に設けられた前記フィラメントを支持するサポータリングの間隔をＳ１とするとき、Ｒ１とＳ１との関係が、Ｓ１／Ｒ１≦０．８であることを特徴とする。
【発明の効果】
【００１４】
請求項１に記載の発明によれば、加熱装置として、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して構成した加熱ユニットを有し、前記加熱ユニットを、各加熱ユニットの白熱ランプの水平部が伸びる方向に、少なくとも３つ以上並べて配置すると共に、前記各加熱ユニットは、白熱ランプの水平部と直交する方向に、それぞれが独立して点灯制御可能な領域に分割されているので、各加熱ユニットを構成する白熱ランプの管長を、１つの加熱ユニットで構成した場合の白熱ランプの管長に比べて短くすることが可能となり、その結果、ランプ中央部におけるランプの撓みを防止し、被加熱物に対して均一な温度分布が得られる。また被加熱物をゾーン制御して加熱することが可能となり、被加熱物を均一に加熱したり、または被加熱物を所定の温度分布を持たせて加熱することが可能となる。  
【００１５】
請求項２に記載の発明によれば、加熱装置として、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプを、前記水平部が平行となるように複数本配列して構成した加熱ユニットを有し、前記加熱ユニットの白熱ランプの水平部が伸びる方向に、少なくとも３つ以上並べて配置された加熱ユニット群を、さらに各加熱ユニットの白熱ランプの水平部と直交する方向に、少なくとも３群以上並べて配置すると共に、前記各加熱ユニットをそれぞれ独立して点灯制御可能に構成したので、各加熱ユニットを構成する白熱ランプの管長を、１つの加熱ユニットで構成した場合の白熱ランプの管長に比べて短くすることが可能となり、その結果、ランプ中央部におけるランプの撓みを防止し、被加熱物に対して均一な温度分布が得られる。また被加熱物をゾーン制御して加熱することが可能となり、被加熱物を均一に加熱したり、または被加熱物を所定の温度分布を持たせて加熱することが可能となる。
【００１６】
請求項３に記載の発明によれば、前記管型発光管の垂直部内に、発光部を形成したので、垂直部にハロゲンガスが溜まることを防止し、この部分におけるフィラメント切れを防止することができる。
【００１７】
請求項４に記載の発明によれば、全ての加熱ユニットによって形成される加熱領域が矩形状に形成されているので、液晶基板やプラズマディスプレイ等のガラス基板等の矩形状の被加熱物を加熱するのに好適である。
【００１８】
請求項５に記載の発明によれば、隣接する加熱ユニットの白熱ランプの垂直部間近傍に、白熱ランプの封止部に光が照射されないように遮光板を設けたので、白熱ランプの封止部に光が照射されないので、封止部における温度上昇を防止し、破損を防止することができる。
【００１９】
請求項６に記載の発明によれば、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、前記曲部内において、前記フィラメントを支持するサポータリングが、該曲部の曲部形成中心内壁に接触し、該曲部の曲部形成反中心側内壁と離間するように配置したので、白熱ランプが点灯し、フィラメントが熱膨張することにより伸びても、サポータリングがフリーの状態となり、フィラメントの変形を防止することができる。
【００２０】
請求項７に記載の発明によれば、管型発光管の内部にフィラメントが配置され、発光部を形成する前記管型発光管の水平部と該水平部の両端から前記管型発光管の曲部を介して伸びる前記管型発光管の垂直部とからなる略コ字状に形成された白熱ランプにおいて、前記曲部の曲率半径をＲ１、前記曲部内に設けられた前記フィラメントを支持するサポータリングの間隔をＳ１とするとき、Ｒ１とＳ１との関係をＳ１／Ｒ１≦０．８としたので、サポータリング間のフィラメントが直線化した場合でも、曲部の曲部形成中心側内壁とフィラメントとの隙間を所定距離以上に維持することができ、フィラメントが曲部の曲部形成中心側内壁に近づくことがなくなり、曲部における発光管の温度上昇を回避することができる。
【発明を実施するための最良の形態】
【００２１】
本発明の一実施形態を図１乃至図１１を用いて説明する。  
図１は、本実施形態の発明に係る加熱装置の加熱ユニットの配列構成を示す図である。
同図において、多数の実線はそれぞれが白熱ランプ１を表しており、点線で囲まれる領域は各加熱ユニットの点灯制御領域を表している。Ａ１，Ａ２は加熱装置を構成する第１の加熱ユニット、Ｂ１は加熱装置を構成する第２の加熱ユニット、Ｅ，Ｆ，Ｇは、第１の加熱ユニットＡ１の白熱ランプ１の水平部と直交する方向に３分割され、それぞれが独立して点灯制御が可能な点灯制御領域、Ｈ，Ｉ，Ｊは、第２の加熱ユニットＢ１の白熱ランプ１の水平部と直交する方向に３分割され、それぞれが独立して点灯制御が可能な点灯制御領域、Ｋ，Ｌ，Ｍは第１の加熱ユニットＡ２の白熱ランプ１の水平部と直交する方向に３分割され、それぞれが独立して点灯制御が可能な点灯制御領域である。
【００２２】
図２および図３は、それぞれ図１に示す第１の加熱ユニットＡ１，Ａ２および第２の加熱ユニットＢ１の詳細な構成を示す図である。
【００２３】
図２（ａ）は、第１の加熱ユニットＡ１，Ａ２の平面図、図２（ｂ）は側面図である。  これらの図において、１は内部にフィラメントが配置され略コ字状に形成された管型発光管からなる白熱ランプ、１０は図示していない被加熱物面と略平行に対向する管型発光管の水平部、１０１は水平部１０内のフィラメントの発光部、１１は水平部１０の両端に曲部１２を経て形成された管型発光管の垂直部、１１１は垂直部１１内のフィラメントの発光部、１２は水平部１０から略９０度曲折して垂直部１１に至る曲部、Ｎ，Ｏ，Ｐはそれぞれ独立して点灯制御可能な点灯制御領域Ｅ，Ｆ，Ｇ（またはＫ，Ｌ，Ｍ）に対応する位置に設けられる給電部である。  
また、第１の加熱ユニットＡ１，Ａ２の各部の寸法は、一例として、Ｌ１，Ｌ３がそれぞれ給電部Ｎ，Ｐの点灯領域の長さを表し、１００ｍｍであり、Ｌ２が給電部Ｏの点灯領域の長さを表し、９７５ｍｍであり、Ｌ４が水平部１０の長さを表し、１２０ｍｍである。
【００２４】
図３（ａ）は、第２の加熱ユニットＢ１の平面図、図３（ｂ）は側面図である。  
これらの図において、Ｑ，Ｒ，Ｓはそれぞれ独立して点灯制御可能な点灯制御領域Ｈ，Ｉ，Ｊに対応する位置に設けられる給電部である。  
また、第２の加熱ユニットＢ１の各部の寸法は、一例として、Ｌ１，Ｌ３がそれぞれ給電部Ｑ，Ｓの点灯領域の長さを表し、１００ｍｍであり、Ｌ２は給電部Ｒの点灯領域の長さを表し、９７５ｍｍであり、Ｌ５は水平部の長さを表し、５５７ｍｍである。その他の構成は図２（ａ）、（ｂ）に示す同符号の構成に対応する。
【００２５】
ここで、第１の加熱ユニットＡ１，Ａ２の水平部１０の長さＬ４と第２の加熱ユニットＢ１の水平部１０の長さＬ５との関係は、被加熱物の中央部と周辺部の温度制御が容易となるように、Ｌ４≦Ｌ５に設定する。
【００２６】
また、図２および図３に示すように、白熱ランプ１の垂直部１１内部にはフィラメントの発光部１１１を設けている。これは、発光管内の内部ガス圧力、またはガスの温度分布状態等の原因により、管型発光管内のハロゲンガスが、発光管内の温度の低い所に移動して、フィラメントの低温部を浸食することがあるためである。垂直部１１内に発光部１１１を設けることにより、垂直部１１にハロゲンガスが溜まることを防止し、この部分におけるフィラメント切れを防止することができる。
【００２７】
図１乃至図３に示すように、本実施形態の発明に係る加熱装置によれば、加熱装置を少なくとも３つ以上の加熱ユニットＡ１，Ｂ１，Ａ２から構成したので、各加熱ユニットを構成する白熱ランプ１の管長を、１つの加熱ユニットで構成した場合の白熱ランプの管長に比べて短くすることが可能となり、その結果、ランプ中央部におけるランプの撓みを防止し、被加熱物に対して均一な温度分布が得られる。また、白熱ランプの管長を短くすることにより、白熱ランプに印加する電圧を２００Ｖ以下に設定することができる。
【００２８】
また、３つの加熱ユニットＡ１，Ｂ１，Ａ２は、それぞれ白熱ランプ１の水平部１０と直交する方向にそれぞれが独立して点灯制御が可能な３つの点灯制御領域（Ｅ，Ｆ，Ｇ）、（Ｈ，Ｉ，Ｊ）、（Ｋ，Ｌ，Ｍ）、即ち、１つの加熱装置において９個に分割された個別の点灯制御領域を有することになる。そのため、被加熱物をゾーン制御して加熱することが可能となり、被加熱物を均一に加熱したり、または被加熱物を所定の温度分布を持たせて加熱することが可能となる。  
具体的には、被加熱物の熱の逃げやすい周囲に対応する加熱ユニットＡ１，Ｂ１，Ａ２の点灯制御領域Ｅ，Ｆ，Ｇ，Ｈ，Ｊ，Ｋ，Ｌ，Ｍを加熱ユニットＢ１の点灯制御領域Ｉより白熱ランプ１の出力を高くするように制御することができる。
【００２９】
なお、図１においては、加熱装置として、２つの第１の加熱ユニットＡ１，Ａ２および１つの第２の加熱ユニットＢ１を用いる場合について説明したが、このような構成に限定されるものではなく、被加熱物の大きさに応じて、複数の第１の加熱ユニットおよび第２の加熱ユニットを任意に組み合わせて、任意の大きさの加熱領域を有する加熱装置を構成することができる。  
図４は、第１の加熱ユニットＡ１と第１の加熱ユニットＡ２間に、３つの第２の加熱ユニットＢ１〜Ｂ３を配置した加熱装置を示す図である。  
また、図５は、第１の加熱ユニットＡ１，Ａ２と第１の加熱ユニットＡ３，Ａ４間に、８つの第２の加熱ユニットＢ１〜Ｂ８を配置した加熱装置を示す図である。
【００３０】
また、図１、図４および図５に示した第１の加熱ユニットおよび第２の加熱ユニットは、それぞれ各加熱ユニット内に３つの点灯制御領域を有していたが、これに代えて、各加熱ユニット内を１つの点灯制御領域で構成し、この加熱ユニットを複数個組み合わせて、任意の大きさの加熱領域を有する加熱装置を構成するようにしてもよい。  
図６は、１つの点灯制御領域を有する第３の加熱ユニットＣ１〜Ｃ９を９つ組み合わせて構成した加熱装置を示す図である。
【００３１】
図７は、複数の加熱ユニットを組み合わせて構成した加熱装置において、隣接する加熱ユニットの白熱ランプの発光部１０１となっているフィラメント間の離間距離ａと白熱ランプの水平部１０の発光部１０１となっているフィラメントと被加熱物間の距離ｃとの関係を示す図である。  
ここで、離間距離ａと距離ｃとの関係をａ／ｃ≦１に設定する。このような関係に設定することにより、加熱ユニットの白熱ランプの水平部の中央部直下の被加熱物における赤外線放射強度（１００％）に対して、隣接する加熱ユニット間の中央部直下の被加熱物における赤外線放射強度の低下を３０％以内にとどめるできる。赤外線放射強度の低下を３０％以内にとどめることにより、図９の配熱リップルと被加熱物温度との関係に示すように、加熱ユニットの白熱ランプの水平部の中央部直下の被加熱物における温度に比べて、隣接する加熱ユニット間の中央部直下の被加熱物における温度の低下を１０℃以内にとどめることができる。
【００３２】
図８は、複数の加熱ユニットを組み合わせて構成した加熱装置において、各加熱ユニット内における隣接する白熱ランプの発光部１０１となっているフィラメント間の離間距離ｂと白熱ランプの水平部１０の発光部１０１となっているフィラメントと被加熱物間の距離ｃとの関係を示す図である。  
ここで、離間距離ｂと距離ｃとの関係をｃ／ｂ≧１／３に設定する。このような関係に設定することにより、白熱ランプの水平部の中央部直下の被加熱物における赤外線放射強度（１００％）に対して、隣接する白熱ランプの水平部の中央部間直下の被加熱物における赤外線放射強度の低下を３０％以内にとどめることができる。赤外線放射強度の低下を３０％以内にとどめることにより、図９の配熱リップルと被加熱物温度との関係に示すように、白熱ランプの水平部の中央部直下の被加熱物における温度に比べて、隣接する加熱ユニット間の中央部直下の被加熱物における温度の低下を１０℃以内にとどめることができる。
【００３３】
図１０は、複数の加熱ユニットを組み合わせて構成した加熱装置において、隣接する加熱ユニットの白熱ランプ１，１間を被加熱物側から見た図である。  
同図において、１３は白熱ランプ１，１の垂直部１１，１１間近傍に、白熱ランプ１，１の封止部に光が照射されないように設けた遮光板である。  
遮光板１３を設けることにより、白熱ランプ１の封止部に光が照射されないので、封止部における温度上昇を防止し、破損を防止することができる。
【００３４】
図１１は、図２および図３に示した白熱ランプ１の管型発光管の曲部１２を拡大して示した図である。  
同図において、１４はフィラメント、１５はフィラメント１４を支持するサポータリング、１６は曲部１２内に設けたサポータリング１５が曲部１２の内側とほぼ接触する曲部形成中心側内壁、１７は曲部１２内に設けたサポータリング１５が曲部１２の外側と離間する曲部形成反中心側内壁である。  
同図に示すように、曲部１２内に設けたサポータリング１５は、曲部１２の内側の曲部形成中心側内壁１６においてほぼ接触し、外側の曲部形成反中心側内壁１７において離間するように構成したので、白熱ランプ１が点灯し、フィラメント１４が熱膨張することにより伸びても、サポータリング１５がフリーの状態となり、フィラメント１４の変形を防止することができる。ここで、例えば、バルブ内径はφ８、サポータリング径はφ７．５である。
【００３５】
また、同図に示すように、曲部１２の曲率半径をＲ１（ｍｍ）とし、曲部１２内に設けたサポータリング１５間の間隔をＳ１（ｍｍ）とするとき、Ｓ１／Ｒ１≦０．８に設定する。このような関係に設定することにより、サポータリング１５間のフィラメント１４が直線化した場合でも、曲部１２の曲部形成中心側内壁とフィラメント１４との隙間を１ｍｍ以上維持することができ、フィラメント１４が曲部１２の曲部形成中心側内壁に近づくことがなくなり、曲部１２における発光管の温度上昇を回避することができる。ここで、例えば、Ｒ１＝２５ｍｍ、Ｓ１＝２０ｍｍ、バルブ内径はφ１０、フィラメント外径は１ｍｍである。
【図面の簡単な説明】
【００３６】
【図１】本発明に係る加熱装置の加熱ユニットの配列構成を示す図である。
【図２】図１に示す第１の加熱ユニットＡ１，Ａ２の詳細な構成を示す図である。
【図３】図１に示す第２の加熱ユニットＢ１の詳細な構成を示す図である。
【図４】第１の加熱ユニットＡ１と第１の加熱ユニットＡ２間に、３つの第２の加熱ユニットＢ１〜Ｂ３を配置した加熱装置を示す図である。
【図５】第１の加熱ユニットＡ１，Ａ２と第１の加熱ユニットＡ３，Ａ４間に、８つの第２の加熱ユニットＢ１〜Ｂ８を配置した加熱装置を示す図である。
【図６】１つの点灯制御領域を有する第３の加熱ユニットＣ１〜Ｃ９を９つ組み合わせて構成した加熱装置を示す図である。
【図７】隣接する加熱ユニットの白熱ランプの発光部となっているフィラメント間の離間距離ａと白熱ランプの水平部の発光部となっているフィラメントと被加熱物間の距離ｃとの関係を示す図である。
【図８】各加熱ユニット内における隣接する白熱ランプの発光部となっているフィラメント間の離間距離ｂと白熱ランプの水平部の発光部となっているフィラメントと被加熱物間の距離ｃとの関係を示す図である。
【図９】配熱リップルと被加熱物温度との関係を示す図である。
【図１０】隣接する加熱ユニットの白熱ランプ間を被加熱物側から見た図である。
【図１１】図２および図３に示した白熱ランプの曲部を拡大して示した図である。
【図１２】従来技術に係る加熱装置を示す図である。
【符号の説明】
【００３７】
Ａ１，Ａ２  第１の加熱ユニット
Ｂ１〜Ｂ８  第２の加熱ユニット
Ｃ１〜Ｃ９  第３の加熱ユニット
Ｅ，Ｆ，Ｇ，Ｋ，Ｌ，Ｍ  第１の加熱ユニットの点灯制御領域
Ｈ，Ｉ，Ｊ  第２の加熱ユニットの点灯制御領域
Ｎ，Ｏ，Ｐ  給電部
Ｌ１，Ｌ３  給電部Ｎ，Ｐの点灯領域の長さ
Ｌ２  給電部Ｏの点灯領域の長さ
Ｌ４，Ｌ５  水平部の長さ
ａ  隣接する加熱ユニットの白熱ランプの発光部となっているフィラメント間の離間距離
ｃ  白熱ランプの水平部の発光部となっているフィラメントと被加熱物間の距離
ｂ  隣接する白熱ランプの発光部となっているフィラメント間の離間距離
１  白熱ランプ
１０  管型発光管の水平部、
１０１  水平部のフィラメントの発光部
１１  管型発光管の垂直部
１１１  垂直部のフィラメントの発光部
１２  管型発光管の曲部
１３  遮光板
１４  フィラメント
１５  サポータリング
１６  サポータリングが曲部の内側と接触する曲部形成中心側内壁
１７  サポータリングが曲部の外側と離間する曲部形成反中心側内壁
【図１】
2005063907.tif 000003
【図２】
2005063907.tif 000004
【図３】
2005063907.tif 000005
【図４】
2005063907.tif 000006
【図５】
2005063907.tif 000007
【図６】
2005063907.tif 000008
【図７】
2005063907.tif 000009
【図８】
2005063907.tif 000010
【図９】
2005063907.tif 000011
【図１０】
2005063907.tif 000012
【図１１】
2005063907.tif 000013
【図１２】
2005063907.tif 000014